(57)【要約】【解決課題】スロットマシンにおける模様替えを容易且つ迅速に行えるようにすること。【解決手段】本体枠（１）の前面を被う前扉（４）と、この前扉に形成する回転ドラム（２７ａ，２７ｂ，２７ｃ）を覗くための窓（７）に装置される表示体（３９）とを別体に形成する。そして、前記窓（７）には前記表示体（３９）を着脱自由に取付ける装着枠部（４０）を形成し、この装着枠部（４０）に前記表示体（３９）を交換自由に取付け、前記表示体前面に備える表示パネル（３９Ａ）の変更に伴わせてスロットマシンの模様替えを行う。【選択図】　　　　　図３
2004141550.tif 000002
【特許請求の範囲】
【請求項１】
ドラムユニットとメダルホッパー装置を格納する本体枠と、本体枠の前面を被う一方、窓を通して前記ドラムユニットを臨ませ、また前面部に回転ドラムを回転操作する操作ボタン、ゲームの設定ボタン、メダルの投入口、メダルの放出受皿等のゲーム操作用諸設備を設ける前扉とを備えてなるスロットマシンにおいて、
前記前扉の窓には装着枠部を形成し、該装着枠部にゲームの設定内容，ゲームの進行状況等を表示する表示体を着脱自由に装着することを特徴としたスロットマシン。
【請求項２】
請求項１の記載において、表示体は前面に表示パネルを、その背面にランプの収容部を有するランプケースを添わせてなることを特徴としたスロットマシン。
【請求項３】
請求項２の記載において、表示パネルは中央部にドラムユニットに装備されるドラムの前面を臨ませる透明部を形成し、該透明部を囲む周囲に適宜表示部を配置し、またランプケースには前記透明部に対応する中央部を中空の窓とすると共に、該窓を囲む周囲に前記表示部に対応するランプ収容部を形成してなることを特徴としたスロットマシン。
【請求項４】
請求項３の記載において、表示パネルは表示部を半透明とすることを特徴としたスロットマシン。
【請求項５】
請求項２乃至４の記載において、ランプケースの前面側の周縁部を前方に突出させて突片を設け、該突片の内側に表示パネルを嵌め入れ表示体を組立てる一方、前扉の窓には内周部に後方に向けて開放する環状の嵌合溝部を形成し、該嵌合溝部に前記ランプケースの突片を突き入れ装着することを特徴としたスロットマシン。
【請求項６】
請求項１乃至５の記載において、装着枠部の後部縁の適所に表示体を係止する係止片を備えてなることを特徴としたスロットマシン。
【請求項７】
請求項１乃至６の記載において、本体枠には左右側壁板の内壁面に相対向して水平状の支持レールを付設し、他方本体枠に格納されるドラムユニットには左右両側部に前記支持レールに滑合する滑合部を設けて、該ドラムユニットを載置支持すると共に前記支持レールを案内に本体枠に対して出し入れ自由にしてなることを特徴としたスロットマシン。
【発明の詳細な説明】
【０００１】
【発明の属する技術分野】
本発明は、スロットマシンに関する。
【０００２】
【従来の技術】
スロットマシン、所謂回胴式遊技機は主要な構成要素として本体枠と、本体枠内に格納される通常３個の回転ドラムを連装してなるドラムユニットと、ゲームの当りに対して所定数のメダルを払い出すメダルホッパー装置（払い出し装置）と、本体枠の前面を閉ざして前記ドラムユニットとメダルホッパー装置を被う前扉を備えている。
【０００３】
本体枠は、内部の上方にドラムユニットを収め、下方にホッパー装置を収めるようにしてあり、前面を被う前扉には上記ドラムユニットの前面部に当る位置に回転ドラムの周面を覗かせる窓を開設し、回転し、停止するドラムの周面に描かれる図柄をこの窓を通して遊技者が視認できるようにしてある。
【０００４】
一方、上記窓には回転ドラムに対応させて各回転ドラムの周面に表示する図柄の組合せ関係を指定し、ゲームの当りを表示するラインを表し、またこのラインの指定を表示するランプを備え、更にはクレジットメダル数を表示する表示部や大当りラウンドの表示部、メダル払い出し数の表示部、そして回転ドラムの回転を表す表示部やゲームの進行状況等を表示する液晶画面を備えた表示装置、更には機種を表示広告する文字や図形の表示部等、各種の表示手段がこの窓を通して覗かれる回転ドラムの前面部を取り囲むように配置される。
【０００５】
従来、上記表示手段は前扉に直接設けるか、前扉に開設する窓に嵌め付けるガラス板等の透明板に対して表現するか、或はこの透明板の背面にランプケースを固定して一体に設けるなどして前扉の一部として一体的に形成していた。
【０００６】
ことに、表示手段のうち回転ドラム相互の当り図柄の組合せを表示する表示ラインやこの表示ラインの選択を示す表示ランプは、回転ドラムと組をなすものであると共に、表示ラインは回転ドラムの上に交錯する如く設けられるものであることから、これらと回転ドラムを覗く窓を設ける前扉とは必然的に一体をなすものとなっていた。
【０００７】
これについて、近時本体枠の内部に格納するドラムユニットの組付け方法に改善が加えられ、前記表示手段をパネルユニットに纏めてこのパネルユニットと回転部材、つまり回転ドラムを収納するケース体とを一つに組んで一体化し、この一体化したパネルユニットを前枠（前扉）に取付けて表示するようにしたもの（例えば、特許文献１）や、同じく図柄回動ユニットを収めた装着ユニットを図柄表示パネルに組付けて一体化し、この図柄表示パネルを扉体、即ち前扉に開設する開口部、即ち窓に嵌め入れて組立てる構造のもの（例えば特許文献２）等が提案されている。
【０００８】
【特許文献１】
特開２００２ー１２６１６４号公報　第２頁左欄第２行目〜第３０行目。図面の図１、図４、図５。
【特許文献２】
特許第３１２６８１２号公報　第１頁左欄特許請求の範囲の項、同第２頁右欄第３０行目〜第３頁左欄第１５行目。図面の図１、図２。
【０００９】
しかし、これらの方法は予め回転ドラムとパネルユニット、或は図柄表示パネルとを一体化することから表示内容と回転ドラム周面に表示する図柄の位置合せの精度が高くなることや、機本体或は前面扉体に対する組付けが容易になること等の利点があるが、反面表示パネルはドラムケースや矩形枠体と予め一体に形成されるため常に一体化したものとなり、表示パネルだけを外すことはできないものとなっている。
【００１０】
【発明が解決しようとする課題】
本発明は、この様な実情に鑑みこれを改善する目的で開発されたものである。前述したように回転ドラムと表示パネル等の表示手段は回転ドラムに表示する図柄と遊技者が選択したゲームの指定内容との一致，不一致、つまり「当り」、「外れ」の関係を決めるものとなることから、常に一体的なものとして取り扱われ、表示手段となる表示パネルは前扉乃至回転ドラムのドラムユニットに対して構造的に一体物として構成されている。
【００１１】
従って、従来のスロットマシンは、例えば広告用の図柄を変更し、或はランプの色を変更する等簡単な変更によって外観を変更しようとした場合、或は回転ドラムの図柄の組合せ関係や遊技仕様の変更をしようとした場合には部分的な変更によってはこれらの表示手段を変更することができないものとなっており、この場合には常に全体の入れ替えか、少なくとも前記公知例の場合にはドラムユニットを組付けた状態においてこれらと共に交換せざるを得ないものとなっている。
【００１２】
本発明はこれを改善し、部分的変更によって最も効率的に外観の変更を達成することができ、またドラムユニットを変更するときこれに対応させて表示手段のみを独立に変更させて本体枠、或は前扉を変えることなく広告用図柄の変更を含んで遊技の仕様の変更によるスロットマシンの機種の変更を可能にした改良されたスロットマシンを提供することにある。
【００１３】
【課題を解決するための手段】
本発明は上述の目的を達成するため、回転ドラムに合せて構成される各種の表示手段を設ける表示体を独立に形成し、一方、本体枠の前面に取付けられる前扉には回転ドラムを覗くため開設する窓に装着枠部を形成してこの装着枠部に前記表示体を着脱自由に装着して、必要に応じて該表示体を交換できるようにしたスロットマシンを提供することにある。
【００１４】
更に詳述すれば、本発明はドラムユニットとメダルホッパー装置を格納する本体枠と、本体枠の前面を被うと共に開設する窓を通して前記ドラムユニットを臨ませ、また前面部に回転ドラムを回転操作する操作ボタン、ゲームの設定ボタン、メダルの投入口、メダルの放出受皿等のゲーム操作用の諸設備を設ける前扉とを備えてなるスロットマシンにおいて、
前記前扉の窓には装着枠部を形成し、該装着枠部にゲームの設定内容，ゲームの進行状況等を表示する表示体を着脱自由に装着することを特徴としたスロットマシンを提供することにある。
【００１５】
また、本発明は前記表示体は前面側に表示パネルを、その背面にランプの収容部を有するランプケースを添わせてなることを特徴としたスロットマシンを提供することにある。
【００１６】
また、本発明は前記表示パネルは中央部にドラムユニットに装備する回転ドラムの前面を臨ませる透明部を形成し、該透明部を囲む周囲に適宜表示部を配置、またランプケースには前記透明部に対応する中央部を中空の窓とすると共に、該窓を囲む周囲に前記表示部に対応するランプ収容部を形成してなることを特徴としたスロットマシンを提供することにある。
【００１７】
また、本発明は前記表示パネルは表示部を半透明とすることを特徴としたスロットマシンを提供することにある。
【００１８】
また、本発明は前記ランプケースの前面側の周縁部を前方に突出させて突片を設け、該突片内に表示パネルを嵌め入れ表示体を組立てる一方、前扉の装着枠部には内周部に後方に向けて開放する環状の嵌合溝部を形成し、該嵌合溝部に前記ランプケースの突片を突き入れ装着することを特徴としたスロットマシンを提供することにある。
【００１９】
また本発明は、前記装着枠部の後部縁の適所に表示体を係止する係止片を備えてなることを特徴としたスロットマシンを提供することにある。
【００２０】
また本発明は、前記本体枠には左右両側壁板の内壁面に相対向して水平状の支持レールを付設し、他方本体枠に格納されるドラムユニットには左右両側部に前記支持レールに滑合する滑合部を設けて、該ドラムユニットを載置支持すると共に前記支持レールを案内に本体枠に対して出し入れ自由にしてなることを特徴としたスロットマシンを提供することにある。
次に、本発明スロットマシンにつき図示する実施例に基づき詳述し、その特徴とするところを明らかにする。
【００２１】
【発明の実施の形態】
【実施例１】
図１乃至図７は本発明に係るスロットマシンの実施例を示すものである。図１は本発明スロットマシンの斜視図であり、図２は前扉を開放した状態の斜視図、図３は本体枠から表示体並びにドラムユニットを取り出した状態の斜視図であり、図４は概略の拡大縦断右側面図、図５は本体枠、ドラムユニット、及び前扉を分解した状態の拡大縦断右側面図である。
【００２２】
本体枠１は前面を開放した縦長の箱形に形成してあり、その開口部２の左側縁部にヒンジ装置３を介して前扉４を蝶着し、内部にドラムユニット５とホッパー装置６を収める。
【００２３】
前扉４は上半部の中央部分に大型の窓７を開設し、その上部前面部に上部ランプケース８を設けて背面側からランプ基板９を臨ませ取付けている。そして、前面の中央部には略全幅に亘るように前方に突出する操作台１０を設け、この操作台の上面の左側にメダル投入個数を設定する３個のボタン１１を横並びに、また右側にメダル投入口１２を設けている。
【００２４】
上記操作台１０の前面側にはスタートレバー１３を配置し、中央部には後述する回転ドラムを停止させるためのストップボタン１４ａ，１４ｂ，１４ｃを設け、また右側にはクレジットモード設定ボタン１５、詰りメダルの解除ボタン１６を設けている。
【００２５】
１７は、前記操作台１０の下方前面部に着脱自由に添設した固定表示板であり、この表示板１７の下方に放出されるメダルを受ける受皿１８を突き出し状に設け、受皿１８の上方にホッパー装置６から放出されるメダルをこの受皿に排出する排出口１９を設けている。
【００２６】
一方、前扉４の背面側には前記メダル投入口１２から投入されたメダルを選別するセレクター２０を斜めに配置し、前扉４が閉塞されたときホッパー装置６の貯留タンク部６ａに臨んで投入されたメダルがこのセレクター２０を通してホッパー装置に送られるようにしてある。
【００２７】
上記セレクター２０の下方には前記排出口１９の後部が突出し、ホッパー装置の放出口２１と連通するようにしてあり、隅部には効果音を発するスピーカー２２が設けてある。そして、前扉４の自由端縁には後向きにロック装置の係止片２３が突き出し、本体枠の左側壁内面部に相対応して設ける係止部２４に掛け止め施錠できるようにしてある。尚、前扉４の前面側にはロック装置を解錠操作するための鍵を差し入れる鍵穴２３ａが設けてある。
【００２８】
一方、ドラムユニット５は基板２５から門形の支持フレーム２６を起立し、このフレームの中に図示しない２つの支持板を等間隔に立設して三分割し、回転ドラム２７ａ，２７ｂ，２７ｃを収める３つのドラム収容室を隣り合せに形成している。そして、個々の収容室に臨む上記支持板若しくは支持フレームの起立板部にそれぞれ回転ドラムを個別に駆動するモータ（図示せず）を固定し、その回転軸に各回転ドラムを個別に軸装してこれらが個々に回転し、停止できるようにしてある。
【００２９】
上記ドラムユニット５は基板２５の左右の縁部に側方に突き出すようにしてそれぞれ前後に２個の滑合部材、ここではローラー２８，２８を備える。そして、このローラーを本体枠１の左右の側壁板２９，２９の内面に相対向させて各水平に付設する支持レール３０，３０に滑合させ、支持されるようにしてある。
【００３０】
滑合部材であるローラー２８は、図８に示したようにこの実施例では基板２５の両縁部から折り曲げ垂設する受部３１，３１に支軸３２を軸着して回転自由に取付けてあり、一方、支持レール３０は金属帯板を断面Ｌ字形に屈曲成形してその一片を取付片３０ａとし、これをビス３３によって前記側壁板２９に固着し、他の支持片３０ｂとなる一片を水平に保持し、これに前記ローラー２８を受止めるようにしてある。
【００３１】
図面から明らかな様に、前記ドラムユニット５の基板２５は両側壁板２９，２９に各付設する支持レール３０，３０に左右のローラー２８，２８を架け渡すことができる幅に形成してあり、更にここでは前記支持レールの支持片３０ｂを広幅に形成して余裕を以ってローラー２８，２８を受けられるようにしてある。そして、両ローラーを滑合したときローラー２８と支持片３０ｂの内側の縁部との間に間隔３４が確保できるようにしてある。
この間隔３４はドラムユニットの基板２５の幅員に対して本体枠１の両側壁板２９，２９間に製造上起こる間隔の誤差を吸収するため設けられたものである。
【００３２】
両支持レール３０，３０に左右のローラー２８，２８を滑合させ支持させた後、一方のローラー２８と側壁板２９との間に上記間隔３４を埋める一定幅員のスペーサー３５を介挿し、ピン３６でこれを支持片３０ｂに固定してドラムユニット５を所定位置に固定するのである。
【００３３】
図中、３７は前記支持レールの支持片３０ｂの端縁から立ち上げた縁片である。この縁片３７は滑合部材たるローラー２８の落下を防止するためと、ここでは前記スペーサー３５の固定において、このスペーサーと共同してローラー２８を狭持し、任意の移動を拘束して一定位置に固定するために作用する。
そして、この定位置での固定は後述するように前記前扉４を閉塞したとき表示体と窓７との嵌め合せを円滑、且つ正確に行う上で有効に機能することになる。
【００３４】
尚、支持レール３０は側壁板２９の内側面に沿って開口部２から背面壁３８に至る全幅に亘って付設し、ドラムユニットの基板２５の両側部に前後２個宛設ける２つのローラー２８，２８を略前端と後端の２ヶ所で受け止め、これにより安定した状態でドラムユニットを支持することができるようにしてある。
【００３５】
図中、３９は前記前扉４に開設する窓７に着脱自由に装着される表示体であり、４０はこの表示体３９を着脱自由に装着するため窓７の内周部に形成した装着枠部である。
【００３６】
表示体３９は、図６に分解して表すように表示パネル３９Ａとランプケース３９Ｂから形成してある。表示パネル３９Ａは透明なガラス板或はアクリル板などのプラスチック板から形成して中央部に回転ドラム２７ａ，２７ｂ，２７ｃの前面部を覗かせる透視窓４１を設けてある。この透視窓４１を除く周縁部分を着色して半透明若しくは不透明部分を形成し、これに各種の表示部を設けるようにしてある。
【００３７】
即ち、表示パネル３９Ａの上部には機種を表示する広告用の図柄模様（表示部）４２を表し、この模様の下に左からクレジットメダル数を表示する表示部４３、大当りラウンド表示部４４、メダル払出数表示部４５を設け、窓４１の左方には縦列に５個の遊技状態報知部４６を設けてある。そして、窓４１の左右両側には左右対称状に５個のライン表示部４７・・・と、４８・・・を設け、更に窓４１の下方には回転ドラムに各対応するように３個の回転ドラムの回転を表示する表示部４９が設けてある。
尚、透視窓４１には上記ライン表示部４７・・・、４８・・・間を結ぶように表示ラインが描かれる。
【００３８】
上記それぞれの表示部はその背後に設置されるＬＥＤやフィラメント型電球等のランプ、７セグメント表示器等の形状が直接的に視覚されないように着色されて半透明化され、また着色に濃淡の変化を付けて表示部毎の違いが一見して識別できるようにしてあり、またそれぞれはランプケース３９Ｂの点灯照明によって表示が一層明瞭になるようにしてある。
【００３９】
ランプケース３９Ｂはプラスチックを材料に形成してあり、図６に示すように表示パネル３９Ａに合せた矩形の箱形に形成してその中央部分には透視窓４１に対応させて矩形の中空の窓５０を形成し、この中空の窓５０を囲むように前記表示パネル３９Ａに各形成するそれぞれの表示部に対応させたランプ収容部４２ａ〜４９ａが設けてある。
尚、上記各ランプ収納部を壁板によって仕切り独立する構造とすることによって照明を個別化すると共に、ランプケース自体の軽量化を図り、且つ強度を高めて表示パネル３９Ａを安定的に支持できるようにしてある。
【００４０】
ランプケース３９Ｂの背面から前記ランプ収容部４２ａ〜４９ａに向けてそれぞれランプ並びに７セグメント表示器５１を備えた基板５２，５３，５４，５５を添わせ、更に可動するランプ５６を備えた可動ランプ表示装置５７、及び液晶表示装置５８を臨ませて一体的に組付け、表示体３９を構成している。
【００４１】
上記可動ランプ表示装置５７は機械的にランプ５６を作動させて表現に動きを加えたもので、ここでは遊技の内容として「リーチ」を表示するものとして組み込んでいる。この表示装置５７は箱形のケースに収めて前記ランプケース３９Ｂに設けるランプ収容部４２ａに背後から嵌め付けるようにしてある。
【００４２】
また液晶表示装置５８は遊技の進行状況を動画として画像表現し、遊技者に報知するものであり、前記ランプケース３９Ｂの収容部５９に背後から嵌め入れ組付けてある。そして、前面の画面５８ａを前記表示パネル３９Ａに透明の状態に残す小窓６０に臨ませて表示パネルの前面側から画面５８ａが覗けるようにしてある。
【００４３】
図７は上記の表示パネル３９Ａ，ランプケース３９Ｂ，各種のランプ基板５２〜５５，可動ランプ表示装置５７，液晶表示装置５８を組立て、表示体３９を完成させた姿を示す背面側から見た斜視図である。
この表示体３９は全体として浅い矩形の箱形を呈するものとなるが、表示パネル３９Ａはランプケース３９Ｂの前面側周縁に突設するリブ状の突片６１の内周に嵌り付き組付くことになる。このとき上記表示パネル３９Ａの外形形状を突片６１の内周の形状に一致させれば、嵌め合せによって両者を一体に結合させることができる。
尚、上記突片６１は表示パネル３９Ａの板厚より高く形成して前方に突出させておき、この突片の先端を後述するように前扉４の窓７の縁に沿って形成する装着枠部４０の溝７ａに嵌め込むことになる。
【００４４】
装着枠部４０は図３乃至図５に示したように窓７の内周縁に沿ってこの縁を取り囲むように矩形の枠体６２として形成してあり、窓７の内周縁とこの枠体６２とで後方に向って開放する溝７ａが形成されるようにしてある。そして、この溝７ａに前記表示体３９の突片６１を嵌め込むことにより表示体３９を装着するのである。
【００４５】
図中、６３は表示体３９を窓７に止め付けておくための係止片で、この係止片は前記枠体６２の縁にビス６４によって止め付けられ、上縁部と下縁部にそれぞれ２個づつが各回転自由に取付く。これらは表示体３９を嵌め入れた後、各先端を内向きに回すことでランプケース３９Ｂの背面を押え止め付けることになる。
【００４６】
さて、上記構成に係る本発明スロットマシンは本体枠１と前扉４、ドラムユニット５、ホッパー装置６、そして装着体３９を前述した如く各個別に形成し、その後相互に組合せて完成させることになる。
本体枠１については予め支持レール３０を側壁板２９の内側面に止着し、また一方の側壁板２９には外部中継端子基板６５を取付け、他方の側壁板２９には電源基板６６を取付け、底板６７上にはホッパー装置６を載置してこれを収容することになる。
【００４７】
ドラムユニット５は、本体枠１に対する諸部材を前述の如く装備したのち開口部２を通して持ち込むことになる。このとき左右のローラー２８をそれぞれの支持レール３０に滑合させ、その後この支持レールを案内にして押し込み、収容することになる。そして、ローラーが収まり位置に達したとき、前述したスペーサー３５を支持レールに添えてビス止めし、前後のローラーの移動を拘束し、これによって定位置にセットする。
【００４８】
勿論、支持レールに対するドラムユニット５の固定は、相互の間にロック装置を配置して掛け止め固定してもよく、また簡単には支持レールの定位置に小突起部を設けてドラムユニットを最終位置に押し込んだときこれに後方のローラー２８を乗り上げ係止させてもよく、その方法は１つに限定されない。
【００４９】
この取付け作業に先立って遊技制御基板６８と、ここではドラムユニット５の支持フレーム２６上面に備えるドラム装置中継基板６９、及びランプケース３０Ｂに臨むそれぞれのランプ基板５２，５３，５４，５５とを接続し、ドラムユニットの持込み作業の終了後に上記遊技制御基板６８と電源基板６６との接続を行うことになる。
【００５０】
尚、前扉４は上記の作業ののち本体枠１と分割して取り付けておいたヒンジ装置３のヒンジ片相互の組合せによって連結し、本体枠１の前面に開閉自由に蝶着することになる。
そして、上記ヒンジ装置３は回転支軸を介してのヒンジ片の着脱組合せによって分割され、又組合わされる構造にしてあり、本体枠１に対して前扉４の着脱がこれによって簡単にできるようにしてある。
【００５１】
前扉４は、本体枠１に閉じ合せたとき、図４に示した如く窓７に装着した表示体３９を本体枠１内に収めるドラムユニット５の前面に臨ませることになる。そして、ランプケース３９Ｂに開設する窓５０に対して背後から３つの回転ドラム２７ａ，２７ｂ，２７ｃの前面部分を突き入れ、表示パネル３０Ａの透視窓４１を通してこの前面部分、即ち各回転ドラムの周面に描く図柄を前面側から覗くことができることになる。
【００５２】
本発明は上述説明の如く構成されるもので、前扉４の窓７に前扉とは別体に形成する表示体３９を着脱自由に装着することにしたことから、この表示体３９を交換すると表示の方式を全く異なるものに変えることができることになる。
【００５３】
例えば、回転ドラム２７ａ，２７ｂ，２７ｃに表示する図柄の組合せを５種類から３種類に変更した場合、透視窓４１に表示する表示ラインを５線から３線に変える必要があるが、この場合従来のスロットマシンにおいては前扉４の全てと当該遊技仕様を実現する遊技制御基板６８を替えるか、スロットマシンそのものを入れ替える必要があったが、本発明においては表示体３９と遊技制御基板６８のみの交換でその変更が完了することになる。
【００５４】
この表示の変更は遊技仕様（方式）の変更のみならずデザイン上の変更にも対応するものとなる。表示体３９に表す各種表示部４２乃至４９の形状や色彩の変更、或は表示パネル３９Ａに施す装飾的表示及びランプ、７セグメント表示器の発光色を変更し、模様替えするとき、前扉４の装着枠部４０から表示体３９を抜き取り、他の表示体に入れ替えれば、この模様替えを済ますことができる。
【００５５】
この方法による模様替えはスロットマシンにおいて部分的な模様替えではあるが、回転ドラムを囲む最も主要な表示部分の入れ替えとなるためスロットマシンの様相を一新する変更となる。従って、一部の変更にもかゝわらずその効果は極めて大きなものとなる。
【００５６】
なお、実施例の説明では装着枠部４０ａに表示体３９を固定するに当って係止片６３による掛け止めとしたが、フック装置を用いて止め付けても、また数本のビスを用いて止め付けるようにしてもよい。
たゞ、この場合止め付けが確実なものであれば、より簡単な操作で止め付けられるものであることが望ましく、前述したように係止片６３の如く掛け止めタイプの止め具が都合が良い。
【００５７】
また、実施例では前扉４の開放した窓７に背後から表示体３９を嵌め付けて、その表示パネル３９Ａでこの窓７を塞ぐものとしたが、窓７に予め透明板を装着して上記表示体３９の露出を防止するようにしてもよい。勿論、この場合には二重構造となることから防犯効果を挙げる上でも有効である。
【００５８】
ところで、本発明スロットマシンにおいては、ドラムユニット５を本体枠１に対して支持レール３０を介して出し入れ自由に装着支持する構造としたことから、このドラムユニット５を他のドラムユニットに簡単に交換することができるものとなっている。
【００５９】
言うまでもなく、ドラムユニットの各回転ドラム２７ａ，２７ｂ，２７ｃの周面に表示される図柄はゲームの主要素となるものであるが、同時にスロットマシンのデザイン上の重要な要素となっていることから、このドラムユニット５の交換は前記表示体３９の交換と同様にスロットマシンの外観を変える上で有効に作用する。
【００６０】
従って、支持レール３０により出入れ自由に支持したドラムユニット５の交換に併せて表示体３９を交換すると、スロットマシン全体の印象を変えることができ、外観を一新させる上で更に有効である。しかも、表示体３９に表示される各種の表示手段は回転ドラムに対応させて設計され、デザインされることから表示体３９と共にドラムユニット５を交換自由にした本発明スロットマシンは極めて変化に富んだ変換を可能にする。
【００６１】
【発明の効果】
以上説明の通り、本発明スロットマシンによれば、前扉の窓に対して回転ドラムと組をなしてゲームの内容を表示し、或は進行状況やゲームの結果等を表示する一方、ゲーム機たるスロットマシンを装飾し外観を形作る表示体を着脱自由に装着したことから、この表示体を単独に、且つ簡便に交換することによって極めて容易にスロットマシンの模様替えを行うことができる。
【００６２】
また本発明スロットマシンは、ドラムユニットを変更した場合に、この変更に伴わせて回転ドラムに対応させた表示体に差し替えることができるため部分的な変更でスロットマシンを再生させることができる。また、実質的な機種の変更を行うことができるためスロットマシンの再利用が図られ、経済性に優れる利点がある。
【図面の簡単な説明】
【図１】本発明に係るスロットマシンの斜視図。
【図２】前扉を開放した状態の斜視図。
【図３】前扉を開放してドラムユニット及び表示体を取り出した状態の分解斜視図。
【図４】拡大縦断右側面図。
【図５】分解した状態の拡大縦断面図。
【図６】表示体の分解斜視図。
【図７】表示体の背面から見た斜視図。
【図８】本体枠に装備されるレール材とこれに滑合するローラーとの関係を示す一部省略した拡大正面図。
【符号の説明】
１　　　　　　　　　本体枠
２　　　　　　　　　本体枠の開口部
３　　　　　　　　　ヒンジ装置
４　　　　　　　　　前扉
５　　　　　　　　　ドラムユニット
６　　　　　　　　　ホッパー装置
７　　　　　　　　　前扉に形成した窓
２５　　　　　　　　ドラムユニットの基板
２６　　　　　　　　支持フレーム
２７ａ，２７ｂ，２７ｃ　回転ドラム
３０　　　　　　　　支持レール
３９　　　　　　　　表示体
３９Ａ　　　　　　　表示パネル
３９Ｂ　　　　　　　ランプケース
４０　　　　　　　　装着枠部
４１　　　　　　　　透視窓
４２〜４９　　　　　表示部
４２ａ〜４９ａ　　　ランプ収容部
５２〜５５　　　　　ランプ基板
６１　　　　　　　　突片
６３　　　　　　　　係止片
【図１】
2004141550.tif 000003
【図２】
2004141550.tif 000004
【図３】
2004141550.tif 000005
【図４】
2004141550.tif 000006
【図５】
2004141550.tif 000007
【図６】
2004141550.tif 000008
【図７】
2004141550.tif 000009
【図８】
2004141550.tif 000010